(57)【要約】【課題】３色の水平方向重心を近づけることによってエッジ付近での色ずれを防止する。【解決手段】  Ｒ、Ｇ、Ｂの３色の画素トリオ(pixel trio)が所定の色配列となっている表示パネルに出力すべき３色の色信号に対し色補正処理を実行する色ずれ補正回路を備える。この回路が行う処理では、色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成する。これにより色重心差（色ごとの位相差）が小さくなり、エッジでの色ずれが防止される。【選択図】図１５
2006072256.tif 000002
【特許請求の範囲】
【請求項１】
赤（Ｒ）、緑（Ｇ）、青（Ｂ）の３色の画素トリオ(pixel trio)が所定の色配列となっている表示パネルに出力すべき３色の色信号に対し、色ずれ補正の処理を施す色信号処理装置であって、
前記３色の色信号を入力し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成し、前記色配列に起因したパターンエッジの色ずれを補正する色ずれ補正回路を備える
色信号処理装置。
【請求項２】
前記色ずれ補正回路は、
前記画素トリオの右端に出力される第３色信号のレベル値間で線形に漸減するように、第１色信号のレベル値を補間による算出する第１の色演算部と、
前記画素トリオの右端に出力される第３色信号のレベル値間で線形に漸減し、あるいは、前記画素トリオの左端に出力される第１色信号間で線形に漸増するように、第２色信号のレベル値を補間により算
出する第２の色演算部と、
前記画素トリオの左端に出力される第１色信号間で線形に漸増するように、第３色信号のレベル値を補間により算出する第３の色演算部と
を有する請求項１に記載の色信号処理装置。
【請求項３】
前記色ずれ補正回路は、
入力する色配置信号に基づいて第１〜第３の色演算部に対する前記３色の色信号の入力を制御する第１のセレクタと、
前記色配置信号に基づいて３系統の出力に対する前記第１〜第３の色演算部の出力を制御する第２のセレクタと
をさらに有する請求項２に記載の色信号処理装置。
【請求項４】
前記第１〜第３の色演算部は、
前記画像パターンのレベル変化の向きが変化する頻度を所定数の画素トリオ範囲で検出し、当該頻度が高いほど小さく当該頻度が低いほど大きな値を有する補正係数を算出する係数生成部と、
前記他の二色の何れかの画素データを補間演算により求め、求めた画素データと元画素データとを前記補正係数に応じた比率で混合して出力する補間演算部と
をそれぞれ有する請求項３に記載の色信号処理装置。
【請求項５】
前記色ずれ補正回路は、前記画像パターンの彩度レベルを算出する彩度レベル演算部をさらに備え、
前記第１〜第３の色演算部の各々は、前記補正係数を前記彩度レベルに応じて変化させる回路をそれぞれ有する
請求項４に記載の色信号処理装置。
【請求項６】
赤（Ｒ）、緑（Ｇ）、青（Ｂ）の３色の画素トリオ(pixel trio)が所定の色配列となっている表示パネルと、
当該表示パネルに出力すべき３色の色信号に対し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成し、前記色配列に起因したパターンエッジの色ずれを補正する色ずれ補正回路と
を備える画像表示装置。
【請求項７】
赤（Ｒ）、緑（Ｇ）、青（Ｂ）の３色の画素トリオ(pixel trio)が所定の色配列となっている表示パネルに出力すべき３色の色信号に対し、前記色配列に起因したパターンエッジの色ずれを補正する色ずれ補正方法であって、
前記３色の色信号を入力し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成するステップを
含む色ずれ補正方法。
【発明の詳細な説明】
【技術分野】
【０００１】
本発明は、表示パネル上の画像パターンの立ち上がりおよび立ち下がりのエッジ付近での色ずれを補正する色信号処理装置、画像表示装置、および、色ずれ補正方法に関するものである。
【背景技術】
【０００２】
固定ピクセルの表示装置では三色の発光部（画素）が、所定の配列で繰り返して配置されている。たとえば、表示パネルの左から順に赤（Ｒ），緑（Ｇ），青（Ｂ）の画素が繰り返している配列のほかに、Ｇ，Ｂ，Ｒの順、Ｂ，Ｇ，Ｒの順といった配列が採用されている。通常の固定ピクセルの駆動装置では、水平駆動クロックから生成した狭ピッチパルス（サンプリングパルス）の間隔に対応したＲＧＢ画素群の１ピッチ（以下、この１ピッチを構成する３画素を画素トリオ(pixel trio)または単にトリオ(trio)という）の単位で、映像信号が固定ピクセルに供給される。その供給方法としては映像信号を色ごとに供給する場合と、点順次（１トリオごとに順次）で供給する場合とがある。
【０００３】
このような表示装置では画素の配置が１／３ピッチずつずれているため、色ずれが発生していた。
以下、図１７（Ａ）〜図１７（Ｅ）を用いて色ずれを説明する。
【０００４】
図１７（Ａ）に示す元画像を図１７（Ｂ）に示す間隔のサンプリングポイントでサンプリングし、つぎのサンプリング点までホールドすると、サンプリング画像は図１７（Ｃ）のようになる。このサンプリング画像は固定ピクセルの表示装置の駆動信号波形を表している。
そのような駆動信号を図１７（Ｄ）に示す配列（本例ではＢＧＲ配列を例とする）の表示パネルに供給すると、各画素は駆動信号レベルに応じて発光するため、たとえば図１７（Ｅ）に示すような画素発光状態となる。
【０００５】
図１７（Ｅ）から明らかなように、トリオ内色配列の中心色（本例では緑（Ｇ））に対して、青（Ｂ）の水平方向重心が左にずれ、逆に赤（Ｒ）の水平方向重心が右にずれている。
そのため、たとえば白抜きの文字等を表示させた場合、向かって左側のエッジ付近に青みがかったようになり、右側のエッジ付近に赤みがかったようになる現象（エッジの色ずれ）が発生していた。
以上はＢＧＲ配列の場合であるが、他の色配列の場合も、その色配列に応じた色が水平方向の両エッジ付近で目立つ現象が生じる。
【０００６】
これに対し、ＣＲＴではビーム電流（アナログ信号）を蛍光面に当てる直前に色選別構造（アパーチャーグリルやシャドウーマスク）により、発光する輝度信号が選択される。このため、発光素子が水平にずれて配置されていても原理的に色ずれは発生しなかった。
一方、固定ピクセルの表示装置では各色の発光画素の幾何学的な位置に対応した映像信号を供給しないと原理的に色ずれが発生する。
【０００７】
このことは、たとえば特許文献１に記載されているように良く知られている。特許文献１では、補間演算により１／３ピッチずれた色を相対的に他の色に合わせる処理を行っている。これは、固定ピクセルを有する表示装置を前提として作成された図１７（Ｃ）のような波形の映像信号が他の表示装置、たとえば３つの液晶パネルの画像をスクリーン上で重ねる投射型の表示装置に入力された場合、スクリーン上での色ずれを防止するとの要請に基づいている。特許文献１に記載の補間処理では、たとえば左側の色を中心の色位置にずらし、右側の色を中心の色位置にずらし、３色を同じ位置（スクリーン上の位置）で合成させるものである。
【特許文献１】特開２００３−１２２３３８号公報
【発明の開示】
【発明が解決しようとする課題】
【０００８】
ところが、この補間演算は、たとえば液晶パネル、ＰＤＰパネルを有する固定ピクセルの表示装置に対しては適用できない。固定ピクセルで表示できる色は一色に限られるためである。
本発明が解決しようとする課題は、たとえば図１７（Ｆ）に示すように３色の水平方向重心を揃える、あるいは、できるだけ近づけることによって、とくにエッジ付近での色ずれを防止する固定ピクセル表示装置用の補間演算を行う色信号処理装置、固定ピクセルを有する画像表示装置、および、色ずれ補正方法を新たに提案することである。
【課題を解決するための手段】
【０００９】
本発明に係る色信号処理装置は、赤（Ｒ）、緑（Ｇ）、青（Ｂ）の３色の画素トリオ(pixel trio)が所定の色配列となっている表示パネルに出力すべき３色の色信号に対し、色ずれ補正の処理を施す色信号処理装置であって、前記３色の色信号を入力し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成し、前記色配列に起因したパターンエッジの色ずれを補正する色ずれ補正回路を備える。
【００１０】
この色信号処理装置で、前記色ずれ補正回路は、好適に、前記画素トリオの右端に出力される第３色信号のレベル値間で線形に漸減するように、第１色信号のレベル値を補間による算出する第１の色演算部と、前記画素トリオの右端に出力される第３色信号のレベル値間で線形に漸減し、あるいは、前記画素トリオの左端に出力される第１色信号間で線形に漸増するように、第２色信号のレベル値を補間により算出する第２の色演算部と、前記画素トリオの左端に出力される第１色信号間で線形に漸増するように、第３色信号のレベル値を補間により算出する第３の色演算部とを有する。
さらに好適に、前記色ずれ補正回路は、入力する色配置信号に基づいて第１〜第３の色演算部に対する前記３色の色信号の入力を制御する第１のセレクタと、前記色配置信号に基づいて３系統の出力に対する前記第１〜第３の色演算部の出力を制御する第２のセレクタとをさらに有する。
さらに好適に、前記第１〜第３の色演算部は、前記画像パターンのレベル変化の向きが変化する頻度を所定数の画素トリオ範囲で検出し、当該頻度が高いほど小さく当該頻度が低いほど大きな値を有する補正係数を算出する係数生成部と、前記他の二色の何れかの画素データを補間演算により求め、求めた画素データと元画素データとを前記補正係数に応じた比率で混合して出力する補間演算部とをそれぞれ有する。
さらに好適に、前記色ずれ補正回路は、前記画像パターンの彩度レベルを算出する彩度レベル演算部をさらに備え、前記第１〜第３の色演算部の各々は、前記補正係数を前記彩度レベルに応じて変化させる回路をそれぞれ有する。
【００１１】
このような構成の色信号処理装置によれば、３色の色信号を表示パネルに出力したときの表示パネル上の画像パターンにおいて、そのエッジ付近の色が補間演算により生成される。より詳細には、３色の画素トリオの任意の一色の信号（所定の色信号）のレベル値を基準として、表示画面上の前記エッジ付近で幾何学的に対応する画素の他の二色が補間演算により生成される。このとき二色の色信号のレベル値を、所定の色信号のレベル値に向かって線形に漸増し、または、当該所定の色信号のレベル値から線形に漸減するようにする。したがって、この傾きが画像パターンの水平方向の両側のエッジで同じとするならば、画素トリオ内の左端の色と右端の色の水平方向重心の偏りが打ち消しあって、当該重心位置は３色で揃う。この傾きが同じでない場合でも、水平方向重心の偏りは大幅に低減する。
【００１２】
本発明では、画像パターンの左端のレベルが増加傾向の立ち上がりエッジ付近では、画素トリオの左端の色（第１色信号）を基準とし、画像パターンの右端のレベルが減少傾向の立ち下がりエッジ付近では、右端（第３色信号）を基準とした補間演算を行うことが可能である。これは、補正前の元信号部分では信号レベルが変化しないようにするためである。
【００１３】
本発明では、さらに、最終的に生成される色信号内で補間演算による成分比率を変化させることができ、この比率を、画像パターンのレベル変化の向きが変化する頻度に応じて変えることができる。つまり、映像周波数が高い、輝度レベルが頻繁に大きく変化するような画像（たとえば文字画像）では、レベル変化の向きが変化する頻度も高く、このような場合は補正比率を下げることができる。逆に、映像周波数が低い（たとえば風景画像）では、レベル変化の向きが変化する頻度が低く、このような場合は補正比率を上げることができる。この補正率の制御は、映像周波数が高い映像（たとえば文字画像）で線が太く見える、あるいは、元信号が変化して色が付いたように見えることを防止するためである。
【００１４】
本発明に係る画像表示装置は、赤（Ｒ）、緑（Ｇ）、青（Ｂ）の３色の画素トリオ(pixel trio)が所定の色配列となっている表示パネルと、当該表示パネルに出力すべき３色の色信号に対し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成し、前記色配列に起因したパターンエッジの色ずれを補正する色ずれ補正回路とを備える。
【００１５】
本発明に係る色ずれ補正方法は、赤（Ｒ）、緑（Ｇ）、青（Ｂ）の３色の画素トリオ(pixel trio)が所定の色配列となっている表示パネルに出力すべき３色の色信号に対し、前記色配列に起因したパターンエッジの色ずれを補正する色ずれ補正方法であって、前記３色の色信号を入力し、当該色信号による画像パターンの立ち上がりおよび立ち下がりのエッジ付近に対応する信号内タイミングに、前記３色の任意の１色を示す所定の色信号のレベル値を基準に、前記画像パターンのエッジ付近で前記所定の色信号の画素に対し幾何学的に対応する他の２色の画素の色信号のレベル値を、前記所定の色信号のレベル値に向かって線形に漸増し、または、当該所定の色信号のレベル値から線形に漸減するように補間演算により生成するステップを含む。
【発明の効果】
【００１６】
本発明によれば、３色の水平方向重心を揃える、あるいは、できるだけ近づけることによって、とくにエッジ付近での色ずれを防止しあるいは抑制することが可能となる。
【発明を実施するための最良の形態】
【００１７】
以下、本発明の実施の形態を、図面を参照して説明する。
【００１８】
本実施の形態では、３色の色信号のうち任意の１色の所定の色信号を基準に他の２色の補間演算を、画像パターンの両側エッジ付近に対応した信号内タイミングで行う。所定の色信号に限定はなく、基準とする色（信号）は、画像パターンを構成する画素トリオの中央色、左側色、右側色の何れでもよい。
【００１９】
本実施の形態で採用可能な最も単純な色ずれ補正方法では、画素トリオの中央の色を基準として他の二色の色信号レベルを変化させる補間演算後の色信号をそのまま出力する。この方法を、以下、「完全補間による色ずれ補正方法」という。
【００２０】
＜完全補間による色ずれ補正方法＞
図１（Ａ）〜図１（Ｄ）は、画素トリオの中央色として緑（Ｇ）を基準とした完全補間による色ずれ補正方法の説明図である。この例ではＢＧＲの色配列であることから、緑（Ｇ）が基準色となる。各図に画像ラインと、その信号レベルのヒストグラムとを示す。図１（Ａ）に示す１トリオ幅のラインを補間演算した結果を図１（Ｂ）に示し、図１（Ｃ）に示す２トリオ幅のラインを補間演算した結果を図１（Ｄ）に示す。
ここで「補間演算の基準にする」ということは、ヒストグラム上でエッジ付近の基準色レベル間を直線により結んだレベルまで他の二色の信号レベルを補間演算（直線補間法）により算出することをいう。後述する他の色ずれ補正方法では補間演算後の色信号と元の色信号とを混合して出力するが、完全補間による色ずれ補正方法では補間演算後の色信号をそのまま出力する。
【００２１】
図１（Ｂ）および図１（Ｄ）のヒストグラムに示すように、この補間演算によって、左側エッジでは青（Ｂ）が下げられ、新たに赤（Ｒ）の画素が発生していることから、青みがかっていた色ずれが緩和されている。同様に、右側エッジでは赤（Ｒ）が下げられ、新たに青（Ｂ）の画素が発生していることから、赤みがかっていた色ずれが緩和されている。
【００２２】
ところが、実際の補正画像を見ると、元画像より暗く、かつ緑がかった色に見える。これは、人間の目は最も輝度が高い部分に反応することから、元画像の両端で信号レベルが低下し、相対的に緑（Ｇ）の信号レベルが上がったことに起因する。このような現象は、画像ライン幅が短いと顕著であり、条件にもよるが３〜５画素トリオ以上では余り気にならなくなる。
【００２３】
このことを一般化すると、固定画素の１〜４トリオピッチ程度でオン（パターン有り）とオフ（パターン無し）を繰り返すような周波数が高い画像では、補間演算によって輝度およびコントラストが低下し、またホワイトバランスが崩れる。また、水平方向の幅が広い画像では余り気にならないが、元々細い幅では相対的に線幅が拡がるため解像感も低下する。
【００２４】
これらの現象を防止するために、本実施の形態では、映像周波数の高域側で補正（補間演算）を行わないか、あるいは、周波数が高くなるにつれて補正率を下げるようにすることが望ましい。補正率を変化させる具体的な方法としては、前述したように補間演算後の色信号と元の色信号との混合比を変化させることが望ましい。
【００２５】
本実施の形態で、より望ましい色ずれ補正方法としては、以下の２つがある。
【００２６】
＜両側エッジ持ち上げ型の色ずれ補正方法＞
この色ずれ補正方法は、元画像の映像信号の水平方向両側のエッジより外側の色を持ち上げて補間画像を生成し、この補間画像と元画像との混合比（以下、補正率）を映像周波数が高くなるほど補間画像が含まれる割合が低くなるように設定し、この画像混合により色ずれ補正画像を生成する方法である。この方法では、元画像が１トリオ幅のラインである場合は補正率０％、すなわち元画像のままのとする。また、この方法では補間演算の基準を、立ち上がりエッジではトリオ内の左端の色、立ち下がりエッジではトリオ内の右端の色にする。このような基準の取り方を行うと、元画像のレベル値は変わらないことから、以下、この色ずれ補正方法を「両側エッジ持ち上げ型の色ずれ補正方法」という。
【００２７】
図２（Ａ）〜図２（Ｄ）は、両側エッジ持ち上げ型の色ずれ補正方法の説明図である。各図に画像ラインと、その信号レベルのヒストグラムとを示す。図１と同様、図２（Ａ）に示す１トリオ幅のラインを補間演算した結果を図２（Ｂ）に示し、図２（Ｃ）に示す２トリオ幅のラインを補間演算した結果を図２（Ｄ）に示す。
補間方法は基準色が異なるのみで図１の場合と同様に行っている。また、図１の場合と異なり、１画素トリオの画像では補間演算（色ずれ補正）を行っていない。これによって、最大周波数に近い画像で輝度およびコントラストの低下ならびにホワイトバランスの低下を防止し、かつ、それ以外の画像で色ずれを補正することが可能となる。
【００２８】
このとき図３に示すように、映像周波数を上げるにしたがって、パターンの繰り返しピッチが、たとえば３〜５トリオピッチまでは１００％の色ずれ補正を行い、３〜５トリオピッチから１トリオピッチまで徐々に色ずれ補正率が低下するようにすることが望ましい。
【００２９】
このような映像周波数に応じた補正率を変化させる手法は、前述した完全補間による色ずれ補正方法に適用することができる。この適用後の方法を「映像周波数反比例型の単純色ずれ補正方法」という。ここで「単純色ずれ補正方法」としたのは、上記「両側エッジ持ち上げ型」と区別するためである。
【００３０】
＜映像周波数反比例型の単純色ずれ補正方法＞
前述したように、図２に示す両側エッジ持ち上げ型の色ずれ補正方法は、元画像に比べ輝度およびコントラストが低下すること、さらには全体的に色が変化するホワイトバランスの低下を有効に防止できる。その一方で、エッジ外側に補間演算により画像データを付加することから、ラインが太くなり尖鋭度が低い画像となってしまう。つまり、両側エッジ持ち上げ型の色ずれ補正では、画像の高域周波数において補正率を上げると、色付の発生を防止することを優先する結果として、たとえば細い白線が太く見えることが目立ってしまうことがある。
これに対し、以下に説明する映像周波数反比例型の単純色ずれ補正方法は、映像周波数が高い、たとえば細い白線が余り太くならず、かつ色付も目立たなくすることを目的とする。
【００３１】
図４（Ａ）〜図５（Ｄ）は、映像周波数反比例型の単純色ずれ補正方法の説明図である。各図に画像ラインと、その信号レベルのヒストグラムとを示す。図１および図２の場合と同様、図４（Ａ）に示す１トリオ幅のラインを補間演算した結果を図４（Ｂ）に示し、図４（Ｃ）に示す２トリオ幅のラインを補間演算した結果を図４（Ｄ）に示す。
基準色は図１の場合と同様に画素トリオの中央色（本例では緑（Ｇ））とする。また、図２の場合と同様に、１画素トリオの画像では補間演算（色ずれ補正）を行っていない。
【００３２】
この色ずれ補正方法では、元画像の映像信号の水平方向両側のエッジ部分の色レベルを若干下げることを許容する代わりに、元画像より外側の色を持ち上げることをできるだけ抑制して補間画像を生成し、この補間画像と元画像との混合比（補正率）を映像周波数が高くなるほど補間画像が含まれる割合が低くなるように設定し、この画像混合により色ずれ補正画像を生成する。
たとえば、中央色（本例では緑（Ｇ））を基準として補間画像（図４（Ｄ））を生成し、この補間画像に補正係数Ｈ（０＜Ｈ＜１）を乗算し、一方、元画像（図４（Ｃ））に補正係数Ｈの補数ｈ＝｜１−Ｈ｜を乗算し、この２つの乗算結果を加算して、色ずれ補正画像を算出する。
【００３３】
この補正係数Ｈは、映像周波数に応じて変化させることにより概略的には図３に示すように補正率に映像周波数依存性をもたせる。つまり、１画素トリオピッチだけ発光している場合は補正をしない（補正率（補正係数Ｈ）が０）。２画素トリオピッチで発光している場合は、たとえば５０％程度の補正を加える（補正率５０％、補正係数Ｈ＝０．５）。この場合、１００％補正（図１に示す完全補間による色ずれ補正）比べると基準色に対する補正色の輝度低下が小さいので、色付が低減される。低域周波数では１００％補正されるが、全体の発光面積に比べ補正色の輝度低下の割合が小さいのでので、全体として色ずれは目立たない。
このように、映像周波数反比例型の単純色ずれ補正方法では、色ずれを抑えつつ、尖鋭度確保と色付防止のバランスがとれた見やすい映像を生成することが可能となる。
【００３４】
以下、図３のような効果を得ることができる色ずれ補正機能を有する色信号処理装置の具体的構成例を詳細に説明する。なお、本発明の画像表示装置は、この色信号処理装置に特徴があるため、以下の説明をもって、その実施の形態とする。また、色ずれ補正方法は、色信号処理装置の処理手順の説明をもって、その実施の形態とする。
以下の説明では、図２に示す両側エッジ持ち上げ型の色ずれ補正方法を例に説明するが、図４に示す映像周波数反比例型の単純色ずれ補正方法では基準とする色を変更することにより、また、図１に示す完全補間による色ずれ補正方法では、補正係数を生成する構成、係数を補間画像と元画像に乗算して加算する構成、および、それらの説明を省略することにより、以下の説明を類推適用できる。
【００３５】
図５に、本発明の実施の形態に係る色信号処理装置としてのパネル画素補間器(Panel Pixel Interpolator)を、所定の処理を行うデジタル処理ロジックＩＣ１００とＬＶＤＳ(Low Voltage Differential Signaling)インターフェース１０１との間に設けた配置例を示す。
本例の色信号処理装置１は、色ごとの映像信号、すなわち赤（Ｒ）信号、緑（Ｇ）信号および青（Ｂ）信号の入力を前提とする。したがって、このような信号を受け取ることができれば、表示パネルに出力する画像を生成または処理するデジタル信号処理内での位置は任意である。したがって色信号処理装置１は、図５に示すように単独のＩＣとして設けてもよいし、あるいは、デジタル処理ＬＳＩの中に組み込むことも可能である。以下、図５に示す構成を前提として説明する。
【００３６】
デジタル処理ロジックＩＣ１００から、デジタル化されたＲ、Ｇ、Ｂの映像データ（たとえば８から１０ビットのパラレルデータ）を色信号処理装置１に入力する。本例では各色８ビットの場合であり、Ｒ信号の各ビットが、デジタル処理ロジックＩＣ１００の８つの出力ＲＯＵＴ[7..0]から色信号処理装置１の８つの入力ＲＩＮ[7..0]にパラレルに出力される。同様に、Ｇ信号の各ビットが、デジタル処理ロジックＩＣ１００の８つの出力ＧＯＵＴ[7..0]から色信号処理装置１の８つの入力ＧＩＮ[7..0]にパラレルに出力され、Ｂ信号の各ビットが、デジタル処理ロジックＩＣ１００の８つの出力ＢＯＵＴ[7..0]から色信号処理装置１の８つの入力ＢＩＮ[7..0]にパラレルに出力される。
【００３７】
色補正の内容は後述するが、色信号処理装置１で色補正されたＲ信号の各ビットが、色信号処理装置１の８つの出力ＲＯＵＴ[7..0]からＬＶＤＳインターフェース１０１の８つの入力ＲＩＮ[7..0]にパラレルに出力される。同様に、色信号処理装置１で色補正されたＧ信号の各ビットが、色信号処理装置１の８つの出力ＧＯＵＴ[7..0]からＬＶＤＳインターフェース１０１の８つの入力ＧＩＮ[7..0]にパラレルに出力され、色信号処理装置１で色補正されたＢ信号の各ビットが、色信号処理装置１の８つの出力ＢＯＵＴ[7..0]からＬＶＤＳインターフェース１０１の８つの入力ＢＩＮ[7..0]にパラレルに出力される。
【００３８】
ＬＶＤＳインターフェース１０１からは、２４ビット（８ビット×３色）のパラレル信号をシリアル化した信号が、クロックＣＫに同期して不図示の表示パネルに１本のケーブルで送られる。図示例でクロックＣＫは、表示パネルの１ピッチ（ＲＧＢの３画素トリオのピッチ）に同期したクロック信号である。図示例でクロックＣＫは、デジタル処理ロジックＩＣ１００から、色信号処理装置１とＬＶＤＳインターフェース１０１の各クロック入力（ＣＫ ＩＮ）に与えられるようになっている。
【００３９】
色信号処理装置１は、３ビットの色配列信号Ｓの各ビットＳ０，Ｓ１およびＳ２をパラレルに入力して、表示パネル（不図示）の色配列に適合した処理を行う。この色配列信号Ｓは、図６に示すようにビットＳ０〜Ｓ２の組み合わせに応じて色配列、すなわちＲＧＢ，ＲＢＧ，ＧＢＲ，ＧＲＢ，ＢＲＧ，ＢＧＲの何れかを規定する。色配列信号Ｓは表示パネルから入力してもよいし、外部から与えられたものでもよい。
【００４０】
図７に、色信号処理装置１のブロック図を示す。
色信号処理装置１は、入力セレクタ２−１、２−２および２−３と、出力セレクタ４−１、４−２および４−３とを備える。各入力セレクタ２−１〜２−３は、入力した３つの色信号Ｒｉｎ，ＧｉｎおよびＢｉｎから、色配列信号Ｓに応じて１つの色信号と、その色演算（補間処理）に必要な他の色信号を選択するものである。以下、入力セレクタ２−１、２−２および２−３のそれぞれから出力される、これらの選択された複数の信号をＬｙin、ＣｙinおよびＲｙinにより表記する。
【００４１】
入力セレクタ２−１の出力に左側色演算部３Ｌが、入力セレクタ２−２の出力に中央色演算部３Ｃが、入力セレクタ２−３の出力に右側色演算部３Ｒが、それぞれ接続されている。これら左側色演算部３Ｌ、中央色演算部３Ｃおよび右側色演算部３Ｒの各出力が、３つの出力セレクタ４−１、４−２および４−３の入力にパラレルに接続されている。以下、左側色演算部３Ｌ、中央色演算部３Ｃおよび右側色演算部３Ｒの各出力を、Ｌｙout、ＣｙoutおよびＲｙoutにより表記する。各出力セレクタ４−１、４−２または４−３は、入力した３つの色演算後の信号から、色配列信号Ｓに応じて出力ラインに適した色の信号を選択するものである。
【００４２】
以上の構成は、表示パネルの色配列がどのような配列であっても、それに応じた補間演算を可能とするものである。つまり、色配列信号Ｓに応じて１トリオ内の色配列はＲＧＢ，ＲＢＧ，ＧＢＲ，ＧＲＢ，ＢＲＧ，ＢＧＲの何れかが規定されるが、トリオ内の表示位置（左、中央、右）に応じて補間演算内容が異なるため、色信号Ｒｉｎ，Ｇｉｎ，Ｂｉｎを入力セレクタ２−１、２−２および２−３によって３つの演算部、すなわち左側色演算部３Ｌ、中央色演算部３Ｃおよび右側色演算部３Ｒに振り分ける。これとは逆に、出力セレクタ４−１、４−２および４−３は演算後の信号を規定色の出力ラインに戻す。これによって、出力セレクタ４−１からはＲ信号が出力され（Ｒｏｕｔ）、出力セレクタ４−２からはＧ信号が出力され（Ｇｏｕｔ）、出力セレクタ４−３からはＢ信号が出力され（Ｂｏｕｔ）。
【００４３】
色信号処理装置１は、入力色信号Ｒｉｎ，ＧｉｎおよびＢｉｎに基づいて彩度レベルＰｋを求める彩度レベル演算部５を有する。彩度レベルＰｋは、３つの色演算部、すなわち左側色演算部３Ｌ、中央色演算部３Ｃおよび右側色演算部３Ｒのそれぞれに出力される。彩度レベル演算部５の詳細は後述する。
【００４４】
図８に左側色演算部３Ｌのブロック図を示す。同様に、図９に右側色演算部３Ｒのブロック図を、図１０に中央色演算部３Ｃのブロック図をそれぞれ示す。
各色演算部は、大まかには補間演算部１０と、この補間演算に用いる係数（補正係数Ｈおよびその補数ｈ）を生成する係数生成部２０とに大別できる。係数生成部２０は各色演算部で同様な構成であり、その詳細は後述する。
【００４５】
図８に示す左側色演算部３Ｌの補間演算部１０は、トリオ内で右側色である赤（Ｒ）を基準に、左側色の青（Ｂ）の信号レベルを補間演算により求めるものである。
この補間演算部１０は、２つのラッチ１１Ａと１１Ｂ、比較器１２Ｌ、補間演算器１３Ｌ、セレクタ１４Ｌ、２つの乗算器１５Ａと１５Ｂ、および、加算器１６を有する。
【００４６】
左側色演算部３Ｌは、青（Ｂ）および赤（Ｒ）の映像信号を時系列に入力する。以下、映像信号の１画素分の信号、すなわち８ビット（０〜２５５レベル）色信号をＢ信号、Ｒ信号、Ｇ信号という。
Ｂ信号ｙｂ(n)はセレクタ１４Ｌと乗算器１５Ａに入力され、同時に、Ｒ信号ｙｒ(n)は、直列接続された２つのラッチの前段のラッチ１１Ａに入力される。ここで、各色信号の「ｎ」は現時点の信号であることを表しており、表示パネルの水平方向ｎ番目の画素トリオに対応する。ラッチは画素トリオごとの表示間隔、すなわち１水平サンプリング周期と同期したクロック信号（不図示）により、１水平サンプリング周期と同じ時間だけ、０〜２５５レベルのＲ信号を保持する。このため、現時点においてラッチ１１Ａからは前回のクロックパルス入力時のＲ信号ｙｒ(n-1)が出力され、ラッチ１１Ｂからは前々回のクロックパルス入力時のＲ信号ｙｒ(n-2)が出力される。Ｒ信号ｙｒ(n-1)はラッチ１１Ｂ、比較器１２Ｌおよび補間演算器１３Ｌに出力され、Ｒ信号ｙｒ(n-2)は比較器１２Ｌに出力される。
【００４７】
比較器１２Ｌは、入力したＲ信号ｙｒ(n-1)とｙｒ(n-2)の大きさから現時点でレベル値変化が減少傾向にあるか否かを前回と前々回のＲ信号の大きさで調べる。比較器１２Ｌは、Ｒ信号のレベル値が条件式「ｙ(n-1)＜ｙ(n-2)」を満たせば減少傾向にあるとしてフラグＣ＝１とし、その他の場合はフラグＣ＝０とする。このフラグＣはセレクタ１４Ｌを制御する。なお、側色演算左側色演算部３ＬはＢ信号レベルを求めるものであるが、トリオ内で３色は同じレベルであることから、Ｒ信号のレベル比較でＢ信号の変化傾向を求めてもよいことは明らかである。
【００４８】
一方、補間演算器１３Ｌは所定の演算式「ｙｃ＝（ｙ(n)−ｙ(n-1)）／３＋ｙ(n-1)」によって補間信号ｙｃを算出する。この補間演算式の導出については後述する。
【００４９】
セレクタ１４Ｌは、フラグＣ＝１の場合に補間信号ｙｃを出力し、Ｃ＝０の場合にＢ信号ｙｂ(n)を出力する。セレクタ１４Ｌからの信号はＢ画素の信号Ｙｂ(n)として、以後、取り扱われる。Ｒ信号のレベルを用いて生成した補間信号ｙｃを信号Ｙｂ(n)に置き換え可能なことは、トリオ内で３色は同じレベルであることから明らかである。また、信号レベル変化がないときは、上記演算式よりｙｃ＝ｙ(n-1)（＝ｙ(n)）であることから、セレクタ１４がどちらの信号を選んでもセレクタ出力信号レベルは同じである。
【００５０】
セレクタ１４ＬからのＢ信号Ｙｂ(n)は、係数生成部２０により算出された係数ｈの補数｜１−ｈ｜（この係数を補正係数Ｈと定義する）と乗算器１５Ｂで乗算される。一方、現時点のＢ信号ｙｂ(n)は係数ｈと乗算器１５Ａで乗算される。２つの乗算器１５Ａと１５Ｂの出力は加算器１６で加算されるが、２つの乗算係数が相補関係にあることから、加算器１６から出力されるＢ信号Ｌｙoutは、エッジ付近以外の信号レベルは元のＢ信号ｙｂ(n)と同じとなる。
【００５１】
図９に示す右側色演算部３Ｒの補間演算部１０の基本構成は、図８の場合と共通する。
ただし、ここではＢ信号を基準としたＲ信号の生成を目的とすることから、補間信号ｙｃの生成経路にはＢ信号ｙｂ(n)が入力されること、比較器１２Ｒの条件式が「ｙ(n-1)＜ｙ(n-2)」と図８の場合と逆になっていること、補間演算器１３Ｒの補間演算式が異なることである。なお、比較器１２Ｌと１２Ｒの条件式を図８と図９で同じとし、セレクタ１４Ｌと１４Ｒの選択をフラグＣの値に対して反対とする構成も可能である。
図９に示す他の構成は図８と同じであり、ここでの説明を省略する。
【００５２】
図１０に示す中央色演算部３Ｃの補間演算部１０が、図９の場合と異なる点は、補間信号ｙｃの生成経路にはＲ信号ｙｒ(n)とＢ信号ｙｂ(n)の双方が入力されること、比較器１２Ｃの条件式が満たされない場合にフラグＣを「２」とすること、補間演算器１３Ｃの補間演算式が異なることである。
図１０に示す他の構成は図８または図９と同じであり、ここでの説明を省略する。
【００５３】
つぎに増加と減少の場合の補間演算式の導出について、図１１を用いて説明する。
【００５４】
図１１は、線形補間の場合の画素ピッチデータｘと色データ値ｙの対応を示すグラフである。
とくに図示していないが、本実施の形態の色信号処理装置１は、現時点のクロックパルス数を計数することによって、処理中に水平表示ライン上の画素ピッチ番号ｎをインクリメントするカウンタを備える。図１１において「ｘ１」は、この画素ピッチカウンタの保持データのある時点での値であり、そのときの基準となる色のレベル値を「ｙ１」とする。また、１ピッチ隣の時点での画素ピッチカウンタの保持データを「ｘ２」とし、そのときの基準色レベル値を「ｙ２」とする。
この基準色の１ピッチ間隔内に、トリオを構成する他の二色のデータが等間隔で存在する。基準色を１番目の色とした場合、２番目の色のタイミング位置を「２ｎｄＸ」、そのときの当該色レベル値を「２ｎｄＹ」、３番目の色のタイミング位置を「３ｒｄＸ」、そのときの当該色レベル値を「３ｒｄＹ」とする。
任意の位置ｘの色レベル値ｙは次式（1-1）のように表すことができ、（ｘ２−ｘ１）＝１（ピッチ）であるから、式（1-1）は式（1-2）のように簡素化できる。
【００５５】
［数１］
ｙ＝(ｙｙ２−ｙ１)(ｘ−ｘ１)／(ｘ２−ｘ１)＋ｙ１…（1-1）
＝(ｙｙ２−ｙ１)(ｘ−ｘ１)＋ｙ１              …（1-2）
【００５６】
２番目の色の位置２ｎｄＸは基準位置ｘ１の値に１／３を足した値でるから(ｘ−ｘ１)＝１／３となり、これを式（1-2）に代入すると次式（2-1）が得られ、同様に、３番目の色の位置３ｒｄＸの場合は(ｘ−ｘ１)＝２／３であるから次式（2-2）が得られる。
【００５７】
［数２］
ｙ＝(ｙｙ２−ｙ１)／３＋ｙ１    …（2-1）
ｙ＝(ｙｙ２−ｙ１)＊２／３＋ｙ１…（2-2）
【００５８】
図８に示す左側色演算部３Ｌは赤（Ｒ）を基準に青（Ｂ）、すなわち１番目の色の補間出力を求める演算であることから、その補間演算器１３Ｌでは上記式（2-1）と等価な式を用いている。また、図９に示す右側色演算部３Ｒは青（Ｂ）を基準に赤（Ｒ）、すなわち２番目の色の補間出力を求める演算であることから、その補間演算器１３Ｒでは上記式（2-2）と等価な式を用いている。
これに対し、図１０に示す中央色演算部３Ｃは、その比較器１２ＣからのフラグＣの値に応じて上記式（2-1）と式（2-2）とを切り替えるような構成となっている。中央色演算部３Ｃは増加傾向のとき（Ｃ＝１）は、青（Ｂ）を基準に緑（Ｇ）、すなわち１番目の色の補間出力を求める演算を行う必要から式（2-1）を用い、減少傾向のとき（Ｃ＝２）のときは、赤（Ｒ）を基準に緑（Ｇ）、すなわち２番目の色の補間出力を求める演算を行う必要から式（2-2）を用いる。したがって、中央色演算では、増加と減少に対する式の用い方が左側色演算時と右側色演算時と逆になる。
【００５９】
つぎに、これらの式を用いて直線補間が実際に可能なことを、図１２〜図１４を用いて説明する。
図１２は左側色演算、図１３は右側色演算、図１４は中央色演算の各説明図である。これらの図において（Ａ）は色信号レベルが増加、（Ｂ）は減少、（Ｃ）は一定の場合である。
【００６０】
図１２に示す左側色演算では、比較器１２Ｌの条件式（図８参照）を満たさない増加および一定のときは、セレクタ１４Ｌから現時点のＢ信号ｙｂ(n)がそのまま出力される。
上記条件式を満たす減少時は、図８中の補間演算器１３Ｌに示す式、すなわち「ｙｃ＝（ｙ(n)−ｙ(n-1)）／３＋ｙ(n-1)」により補間信号ｙｃが算出される。つまり、図１２（Ｂ）に示す例では、中央の画素トリオを求める状態［１］で基準となるＲ信号においてレベル差「ｙｒ(n)−ｙｒ(n-1)」が求められる（破線部）。減少傾向の場合、この値は負であり、その１／３の値も負である。したがって、図中の左側の画素トリオでＲ信号ｙｒ(n-1)に、この１／３差分を加算することは、現時点のＲ信号ｙｒ(n)に２／３差分を足すことになる。その加算したＲ信号（補間信号ｙｃ）は、セレクタ１４Ｌによって現在のＢ信号のレベル値ｙｂ(n)に置き換えられて出力される。この動作は、１クロック進んだ状態［２］の場合も同様である。
【００６１】
図１３に示す右側色演算では、比較器１２Ｒの条件式（図９参照）を満たさない減少および一定のときは、図１３（Ｂ）および図１３（Ｃ）に示すように、セレクタ１４Ｒから現時点のＲ信号ｙｒ(n)がそのまま出力される。
上記条件式を満たす増加時は、図９中の補間演算器１３Ｒに示す式、すなわち「ｙｃ＝（ｙ(n)−ｙ(n-1)）＊２／３＋ｙ(n-1)」により補間信号ｙｃが算出される。つまり、図１３（Ａ）に示す例では、中央の画素トリオを求める状態［１］では左側の画素トリオに示すように基準となるＢ信号においてレベル差「ｙｒ(n)−ｙｒ(n-1)」が求められる（破線部）。増加傾向の場合、この値は正であり、その２／３の値も正である。したがって、そのレベル差を加えたＢ信号（補間信号ｙｃ）は、セレクタ１４Ｒによって現在のＲ信号のレベル値ｙｒ(n)に置き換えられて出力される。この動作は、１クロック進んだ状態［２］の場合も同様である。
【００６２】
図１４に示す中央色演算の場合は、上記２つの場合の合成であることから詳しい説明を省略するが、注意する点は、増加と減少に対し演算式の係数１／３と２／３の用い方が逆となるため、減少時の図１４（Ｂ）では差分レベルの１／３が補間増分となる。一方、増加時の図１４（Ａ）の場合も差分レベルの１／３が補間増分となる。このように、基準色とのタイミング位置（位相差）が半分のときは補間増分も半分となる。
【００６３】
その結果、たとえば図１５（Ａ）に示すように少しすそ引きがあるほぼ２トリオ幅の画像パターンを補間計算して得た画像パターンは、図１５（Ｂ）に示すように立ち上がりエッジおよび立下りエッジで直線上に揃った色レベルとなる。これによって色ごとの水平方向位置重心（位相重心）がほぼ揃った画像が生成できる。
【００６４】
なお、上述した演算式（2-1）と（2-1）をハードウエア演算ロジックで求める場合、割り算が入ると動作が遅くなるので、色信号レベルが２５６（８ビット）の例では、３で割る代わりに３＝ｐ／２５６の式で「ｐ」を求めるとよい。これは、ハードウエア演算ロジックでは２のｎ乗で割る操作はビットシフトするだけなので、割り算ロジックは不要だからである。本例ではｐ＝８５となるが、もっと精度がいる場合は色データのビット数を増やして２５６の代わりに、５１２もしくは１０２４を用いるとよい。
ハードウエア演算ロジックに適した演算式（2-1）と（2-1）の代替式を示すと次式（3-1）と（3-2）のようになる。
【００６５】
［数３］
ｙ＝(ｙｙ２−ｙ１)＊８５／２５６＋ｙ１  …（3-1）
ｙ＝(ｙｙ２−ｙ１)＊１７０／２５６＋ｙ１…（3-2）
【００６６】
つぎに、つぎに係数生成部２０の構成および動作を、たとえば図８を用いて説明する。
係数生成部２０は、２つの減算器２１Ａと２１Ｂ、加算器２２、１／２倍の絶対値計算部２３、第１の３画素最大値保持部２４、第２の３画素最大値保持部２５、割り算器２６、乗算器２７、および、２つの補数計算部２８Ａと２８Ｂを有する。
まず、現在の色信号（図８の場合ｙｂ(n)）が第２の３画素最大値保持部２５と減算器２１Ａに入力される。このとき同時に、減算器２１Ａには前回（１クロック分前）の色信号ｙｂ(n-1)が入力され、減算器２１Ｂには前回の色信号ｙｂ(n-1)と前々回（２クロック分前）の色信号ｙｂ(n-2)が入力される。
第２の３画素最大値保持部２５には少なくとも２クロック分前までの色信号が保持されており、次のクロックタイミングで、その３画素分の最大値ｙｋを割り算器２６に送る。
【００６７】
減算器２１Ａ、減算器２１Ｂ、加算器２２、１／２倍の絶対値計算部２３を用意した目的は画像信号の任意のタイミングにおいて、１画素だけ最大値となるような信号の時に出力が最大となるような演算することである。
２つの減算器２１Ａと２１Ｂの各出力は、最大輝度差で「１（２５５レベル）」、最小輝度差で「−１（−２５５レベル）」をとり、その間では輝度差に応じた１未満０以上の値をとる。また、減算器２１Ａは輝度低下で正、輝度減少で負の値をとり、減算器２１Ａは、その逆の値をとる。その２つの値を加算器２３で加算すると、次式（４）に示す値ｙが得られる。
【００６８】
［数４］
ｙ＝abs((ｙ(n-1)−ｙ(n))＋(ｙ(n-1)−ｙ(n-2)))  …（４）
【００６９】
画像が同一ピッチで増加傾向にある場合は「ｙ(n-1)−ｙ(n)」と「ｙ(n-1)−ｙ(n-2)」は同一値で符号が逆となるので、計算結果はゼロとなる。１／２倍の絶対値計算部２４で絶対値をとって半分にすると、その出力の値ｄは、０〜１までの範囲でレベル変化の頻度に応じた値をとる。つまり、この値ｄは、単調減少や単調増加では０、増減する信号では変化の向きが反転する極数が多いほど１に近い値をとる。つまり、ワンオン・ワンオフのような信号では最大となる。
この値ｄを、煩雑にレベルが変動して補正レベルが変動しないように、フィルタを用意する。本説明では３画素（クロック間）の最大値検出保持部２４を用いて、高域信号が来たら保持するようにしている。
フィルタを通してから、割り算部２６で、色信号レベルの４画素保持結果で割り算する。この出力ｆは変動度の大きい信号では１になり、変動度の小さい信号では０に近づく。
この係数ｆは図７に示す彩度レベル演算部５からの彩度レベルＰｋに応じてさらに他の値に変換される。
【００７０】
図１６は、彩度レベル演算部５のブロック図である。
彩度が高い（カラーレベルが強い信号）信号では色ずれは目立たないが、白黒信号では目立つので、このことを色ずれ補正に反映せるために図１６に示す彩度レベル検出ロジックにて彩度レベルＰｋを求める。
精度レベル演算部５は、入力したＲ信号、Ｇ信号およびＢ信号から色レベルが最小値Ｐｍｉｎを検出部する最小値検出部５１、最大値Ｐｍａｘを検出する最大値検出部５２、その差分Ｍｄを求める差分演算部５３、差分Ｍｄを最大値Ｐｍａｘで割る処理を行う彩度パラメータＵの演算部５４および３画素最大値保持部５５を有する。
【００７１】
この演算ロジックでは、白のときに「０」、単色の時に「１」を出力し、中間色ではその度合いに応じて「０」から「１」の値を有する彩度パラメータＵを求め、これを４画素トリオ分保持して、その最大値を彩度レベルＰｋとして出力する。
【００７２】
より詳細には、最初に、同一トリオ内の３色の色信号の最大値Ｐｍａｘ、最小値Ｐｍｉｎを見つける。最小値Ｐｍｉｎを最大値Ｐｍａｘで割るとその値Ｍｄは、白黒信号では「０」となり、単色信号では「１」となる。１画素単位で単色になったり、白黒になったりする画像が来たときに、煩雑にレベルが変動して、補正レベルが変動しないように、フィルタ（３画素最大値保持部５５）を用意している。
【００７３】
このようにして求めた彩度レベルＰｋを図８に示す補数計算部２８Ａで補数にしてから乗算器２７に入力する。
図８に示す乗算器２７は、既に求めておいた係数ｆと、この補数計算部２８Ａの出力を掛け合わせ係数ｈを算出する。この係数ｈは、映像周波数が高い画像では「１」または「１」に近い値をとるが、映像周波数が低い画像では「０」となる。また、色つき画像では、その彩度に応じて値が小さくなる。
【００７４】
その結果、係数ｈは乗算器１５Ａで補正なしの色信号と掛け算され、係数ｈの補数をとって生成した補正係数Ｈが乗算器１５Ｂで補間信号ｙｃまたは元の色信号からなる信号Ｙｂ(n)と掛け算され、両者が加算される。
したがって、補正係数Ｈが「１」で１００％補正率の画像、補正係数Ｈが「０」で補正なしの画像が得られ、補正係数が０より大きく１未満のときは、その値に応じた補正率となる。
【００７５】
左側色ブロックの減少傾向時の計算式は、次式（５）のようになる。
【００７６】
［数５］
ｙl＝(ｙ(ｙ(n)−ｙ(n-1))／３＋ｙ(n-1))＊１／(Ｃl＊Ｄl)＋ｙ(n)＊(Ｃl＊Ｄl)…(５)
【００７７】
ここで「Ｃl」は彩度係数Ｐｋ、「Ｄl」は高域係数を示す。
【００７８】
この結果、図３に示すように、映像周波数が高いたとえば文字画像等では、信号レベルが増減を繰り返し信号変化の向きが変わる頻度が高いので係数ｈが周波数に応じて高くなり補正率が低下する。逆に、映像周波数がある程度低いと補正率１００％の画像となる。ただし、色つき画像では補正がされないか、補正されても補正率は低下する。
【００７９】
本実施の形態によれば、補間演算することにより、画像の位置が画素の位置の水平ずれを補正した状態となるので、とくにエッジ付近で目立つような色ずれがなくなる、あるいは大幅に抑制される。
また、ＰＤＰやＬＣＤディスプレイでは原理的なものとして補正していなかった水平色ずれ（２／３ピッチ）が発生しなくなる。
さらに、ピッチ周波数に迫った周波数領域やメニュー表示では精細度を落とさずに表示できる。
【図面の簡単な説明】
【００８０】
【図１】（Ａ）〜（Ｄ）は、画素トリオの中央色を基準とした完全補間による色ずれ補正方法を示す説明図である。
【図２】（Ａ）〜（Ｄ）は、両側エッジ持ち上げ型の色ずれ補正方法を示す説明図である。
【図３】本発明の効果を示す映像周波数と補正率との関係を示すグラフである。
【図４】（Ａ）〜（Ｄ）は、映像周波数反比例型の単純色ずれ補正方法を示す説明図である。
【図５】本発明の実施の形態に係る色信号処理装置としてのパネル画素補間器の実装例を示すブロック図である。
【図６】色配置の組み合わせと色配置信号との対応を示す図表である。
【図７】本実施の形態に係る色信号処理装置のブロック図である。
【図８】左側色演算部のブロック図である。
【図９】右側色演算部のブロック図である。
【図１０】中央色演算部のブロック図である。
【図１１】線形補間の場合の画素ピッチデータと色データ値の対応を示すグラフである。
【図１２】（Ａ）〜（Ｃ）は左側色演算の説明図である。
【図１３】（Ａ）〜（Ｃ）は右側色演算の説明図である。
【図１４】（Ａ）〜（Ｃ）は中央色演算の説明図である。
【図１５】（Ａ）は３つの色演算部による補間結果を統合して示す例で、元画像パターンのレベルヒストグラム、（Ｂ）は、その補間処理後のヒストグラムである。
【図１６】彩度レベル演算部のブロック図である。
【図１７】（Ａ）〜（Ｆ）は色ずれの発生および理想状態を説明するための図である。
【符号の説明】
【００８１】
１…色信号処理装置、２−１等…入力セレクタ、３Ｌ…左側色演算部、３Ｒ…右側色演算部、３Ｃ…中央色演算部、４−１…出力セレクタ、５…彩度レベル演算部、１０…補間演算部、１２Ｌ等…比較器、１３Ｌ等…補間演算器、１４Ｌ等…セレクタ、２０…係数生成部、ｙ(n)…色信号、ｙｃ…補間信号
【図１】
2006072256.tif 000003
【図２】
2006072256.tif 000004
【図３】
2006072256.tif 000005
【図４】
2006072256.tif 000006
【図５】
2006072256.tif 000007
【図６】
2006072256.tif 000008
【図７】
2006072256.tif 000009
【図８】
2006072256.tif 000010
【図９】
2006072256.tif 000011
【図１０】
2006072256.tif 000012
【図１１】
2006072256.tif 000013
【図１２】
2006072256.tif 000014
【図１３】
2006072256.tif 000015
【図１４】
2006072256.tif 000016
【図１５】
2006072256.tif 000017
【図１６】
2006072256.tif 000018
【図１７】
2006072256.tif 000019